(57)【要約】      （修正有）【課題】固い地面などに打ち込まれたツルハシの刃部を、簡単に、かつ少ない労力で引き抜くことができるようにする引き抜き補助具付きツルハシを提供する。【解決手段】金属製のツルハシ頭部２と、ツルハシ頭部の中央付近の装着部５を、その一端部で保持固定する柄部８と、ツルハシ頭部の装着部５の両側に設けた回転軸となる突起部６と、この突起部にはめ込み、一方が引き抜きアーム部１０で他方がペダル部１２となり、はめ込み領域１１を中心としてくの字状に折り曲げた引き抜き補助具９とを有する。ツルハシ頭部を土中に押し込んだ後、ペダル部を押しつけることによりはめ込み領域を中心として引き抜きアーム部が回転してツルハシ頭部を押し上げる補助力を与える。【選択図】図１
0003200472.tif 000002
【実用新案登録請求の範囲】
【請求項１】
金属製のツルハシ頭部と、
前記ツルハシ頭部の中央付近の装着部を、その一端部で保持固定する柄部と、
前記ツルハシ頭部の前記装着部の両側に設けた回転軸となる突起部と、
前記突起部にはめ込み、一方が引き抜きアーム部で他方がペダル部となり、はめ込み領域を中心としてくの字状に折り曲げた構造からなる引き抜き補助具と、
を有し、
前記ツルハシ頭部を土中に押し込んだ後、前記ペダル部を押しつけることにより前記はめ込み領域を中心として引き抜きアーム部が回転して前記ツルハシ頭部を押し上げる補助力を与える構造からなることを特徴とする引き抜き補助具付きツルハシ。
【請求項２】
前記ツルハシ頭部の装着部には、前記引き抜き補助具を保持するための回転軸突起部をさらに有し、
前記引き抜き補助具には、前記回転軸突起部にはめ込まれ所定の角度で前記引き抜き補助具を一時的に固定するための孔部を設けたことを特徴とする請求項１に記載の引き抜き補助具付きツルハシ。
【考案の詳細な説明】
【技術分野】
【０００１】
本考案は農作業や土木工事に使用するツルハシに関する。
【背景技術】
【０００２】
ツルハシは農業、土木の作業において、タケノコ等作物の収穫や固い地面やアスファルトを砕く場合に使われる道具である。しかしながら、地面の状態によっては、打ち込んだツルハシが地面に食い込み、抜けなくなる場合がしばしば生じる。このような場合には、ツルハシを抜くための作業に相当の労力を有するので、高齢従事者の多い農業・土木分野においては深刻な問題となっている。
このような問題の解決に対する一つの方法として、例えばツルハシの尖り部で掘り起こしていくと同時に、掘り起こしや引き抜きの障害物となる木や植物の根を切断するようにしたツルハシが開示されている。これは、ツルハシの腹の側を鋭角の刃状にしたものであり、具体的にはツルハシの断面形状を四角形から将棋の駒形状である五角形とし、嘴状の湾曲している内側全体を鋭利な形状としたものである（特許文献１）。
【先行技術文献】
【特許文献】
【０００３】
【特許文献１】実登３１３７６６５号
【考案の概要】
【考案が解決しようとする課題】
【０００４】
ツルハシは固い地面やアスファルトを砕く場合や木の根の切断等、破壊や切断を行う場合に利用される道具である。先行技術文献に記載されたツルハシは、木の根などの切断には向いている。しかし、固い地面等を砕くような作業では、ツルハシが打ち込まれて引き抜く場合には従来と同様な労力を必要とするという課題がある。
本考案は、上記従来の課題を解決するために考案されたもので、ツルハシを引き抜きやすくするための補助具を設け、引き抜き時に足や手の力を補助具に加えることによって刃部もしくは小鋭部を容易に引き抜くことができるようにすることを目的とする。
【課題を解決するための手段】
【０００５】
上記課題を解決するために本考案の引き抜き補助具付きツルハシは、金属製のツルハシ頭部と、このツルハシ頭部の中央付近の装着部を、その一端部で保持固定する柄部と、ツルハシ頭部の装着部の両側に設けた回転軸となる突起部と、この突起部にはめ込み、一方が引き抜きアーム部で他方がペダル部となり、はめ込み領域を中心としてくの字状に折り曲げた構造からなる引き抜き補助具とを有した構造からなる。この構造により、ツルハシ頭部を土中に押し込んだ後、ペダル部を押しつけることによりはめ込み領域を中心として引き抜きアーム部が回転してツルハシ頭部を押し上げる補助力を与えることができる。
この場合において、ツルハシはツルハシ頭部の両端に嘴を有するので、引き抜き補助具は着脱式とし、左右入れ替えて装着できるようにしてもよい。これにより、どちらの嘴でも同様の補助力を与える作業をすることができる。
また、ツルハシ頭部の装着部には、引き抜き補助具を保持するための回転軸突起部をさらに有し、引き抜き補助具には回転軸突起部にはめ込まれ所定の角度で引き抜き補助具を一時的に固定するための孔部を設けた構成としてもよい。このような構成とすることにより、本発明の引き抜き補助具付きツルハシを使って地面を掘るときには、引き抜き補助具が邪魔にならない位置で固定しておき、土中に埋まったツルハシ頭部を引き抜くときには足や腕で引き抜き補助具を回転させることができ、作業の邪魔にならないようにすることができる。
【考案の効果】
【０００６】
本考案の引き抜き補助具付きツルハシを用いれば、土中にツルハシ頭部の嘴が打ち込まれた場合、引き抜き補助具を使うことで、従来に比べて少ない労力でツルハシ頭部を土中から引き抜くことができ、作業者の疲労軽減や作業効率化に大きな効果を有する。
【図面の簡単な説明】
【０００７】
【図１】本考案の実施例１にかかる押さえ方式の引き抜き補助具付きツルハシの構造を示す斜視図である。
【図２】同実施例にかかる引き抜き補助具付きツルハシのツルハシ頭部側からみた平面図である。
【図３】同実施例にかかる引き抜き補助具付きツルハシにおいて、（ａ）は引き抜き補助具を外した状態で、ツルハシ頭部側からみた平面図、（ｂ）は側面図である。
【図４】同実施例にかかる引き抜き補助具付きツルハシにおいて、引き抜き補助具の構造を説明するための図で、（ａ）は平面図、（ｂ）は側面図である。
【図５】同実施例にかかる引き抜き補助具付きツルハシにおいて、図１に示すＡ−Ａ線に沿った断面図である。
【図６】本考案の実施例２にかかる引っ張り方式の引き抜き補助具付き付ツルハシの構造を示す斜視図である。
【図７】同実施例にかかる引き抜き補助具付きツルハシにおいて、引き抜き補助具の構造を説明するための図で、（ａ）は平面図、（ｂ）は側面図である。
【考案を実施するための形態】
【０００８】
以下、本考案の実施の形態を図に基づいて説明する。
【実施例１】
【０００９】
以下、本考案の実施例１の押さえ方式の引き抜き補助具付ツルハシについて図面を参照しながら詳細に説明する。図１は、本考案の実施例１にかかる押さえ方式の引き抜き補助具付きツルハシの構造を示す斜視図である。図２は、その引き抜き補助具付きツルハシのツルハシ頭部側からみた平面図である。図３は、引き抜き補助具付きツルハシの引き抜き補助具を外した状態において、（ａ）はツルハシ頭部側からみた平面図、（ｂ）はその側面図である。図４は、引き抜き補助具の構造を説明するための図で、（ａ）は平面図、（ｂ）は側面図である。さらに、図５は、図１に示すＡ−Ａ線に沿った断面図である。
以下これらの図を用いて本実施例にかかる押さえ方式の引き抜き補助具付きツルハシの構造と機能について説明する。
本実施例の引き抜き補助具付きツルハシ１は、金属製のツルハシ頭部２と、このツルハシ頭部２の中央付近の装着部５を、その一端部で保持固定する柄部８と、ツルハシ頭部２の装着部５の両側に設けた回転軸となる突起部６と、この突起部６にはめ込み、一方が引き抜きアーム部１２で他方がペダル部１０となり、はめ込み領域１３を中心としてくの字状に折り曲げた構造からなる引き抜き補助具９とを有した構造からなる。
さらに本実施例においては、ツルハシ頭部２の装着部５には、引き抜き補助具９を保持するための回転軸突起部７をさらに有し、引き抜き補助具９には回転軸突起部７にはめ込まれ所定の角度で引き抜き補助具９を一時的に固定するための孔部１３を設けた構成としてもよい。
以下、それぞれの部材について詳細に説明する。
ツルハシ頭部２は、従来の構造と同じように一方が平刃形状からなる刃部３、他方が鶴の嘴状の小鋭部４、柄部８を装着する領域である装着部５、装着部５に設けられ、回転軸となる突起部６及び引き抜き補助具９を所定の角度で保持するための回転軸突起部７とから構成されている。
柄部８は、ツルハシ頭部２の装着部５に挿入した状態で強固に固定されている。この形状では一般的なツルハシとほぼ同じ構造と同じ機能を有する。
本実施例においては、装着部５の突起部６にはめ込むように引き抜き補助具９を取り付けていることが特徴である。引き抜き補助具９は、ペダル部１０、引き抜きアーム部１２、回転軸突起部７にはめ込まれ所定の角度で引き抜き補助具９を固定するための孔部１１及びはめ込み領域１３が一体に形成された構造からなる。この引き抜き補助具９は、鉄等の高強度の金属材料で形成され、地面に引き抜きアーム部１２を押し付けても容易に変形しないような剛性を有する。
このような構成からなる引き抜き補助具９のはめ込み領域１３を突起部５にはめ込み、回転軸突起部７に孔部１１がはめ込まれるようにして一時的に固定した状態で、通常のツルハシとしての作業をする。そして、ツルハシ頭部２を土中に押し込んだ後、ペダル部１０を足で押しつけると、はめ込み領域１３を中心として引き抜きアーム部が回転して、ツルハシ頭部２を押し上げるように力を加えることができる。
通常の場合には、作業者がツルハシを引き抜くように力を加えないといけないが、本実施例の引き抜き補助具付きツルハシ１は足で押し付けるようにすることで刃部２を引き抜くことができる。このため、作業者の負担を大幅に減らすことができる。
なお、本実施例の引き抜き補助具付きツルハシ１においては、刃部３を使う場合について説明したが、引き抜き補助具９の位置を変えれば小鋭部４を引き抜く場合にも用いることができる。
【実施例２】
【００１０】
本考案の実施例２にかかる引っ張り方式の引き抜き補助具付ツルハシ２０について説明する。図６は、本実施例にかかる引っ張り方式の引き抜き補助具付き付ツルハシ２０の構造を示す斜視図である。図７は、同実施例にかかる引き抜き補助具付きツルハシ２０において、引き抜き補助具２１の構造を説明するための図で、（ａ）は平面図、（ｂ）は側面図である。
以下、これらの図面を用いて本実施例に引っ張り方式の引き抜き補助具付きツルハシ２０について説明する。なお、実施例１の引き抜き補助具付きツルハシ１と同じものについては同じ符号を付しており、説明を省略する場合がある。
本実施例の引っ張り方式の引き抜き補助付ツルハシ２０は、実施例１で説明した押さえ方式の引き抜き補助具９の代わりに、引っ張り方式に適した構造の引き抜き補助具２１を用いたことが特徴であり、その他の構造については実施例１と同じである。
本実施例にかかる引き抜き補助具２１は、ペダル部２２、引き抜きアーム部２４、回転軸突起部７にはめ込まれ所定の角度で引き抜き補助具２０を固定するための孔部２３及びはめ込み領域２５が一体に形成された構造からなる。本実施例では、引き抜き補助具２１は実施例１の引き抜き補助具９にくらべて、くの字形状が緩やかである。したがって、図６に示すようにツルハシに取り付けたときに、ペダル部２２は柄部８に近接した状態で一時的に固定される。この引き抜き補助具２１についても、鉄等の高強度の金属材料で形成され、地面に引き抜きアーム部２４を押し付けても容易に変形しないような剛性を有する。
地面に引き抜き補助付ツルハシ２０の刃部４が打ち込まれた後、引き抜き補助具２１のペダル部２２を手で引き上げることにより、引き抜き補助具２１がはめ込み領域２５を中心として回転し、引き抜きアーム部２４の端部が地面を押すように力が加わるため、ツルハシ頭部２の刃部３を容易に土中から引き抜くことができる。
なお、本考案は上記実施例に限定されるものではない。引き抜き補助具の材料としては、鉄製だけでなくステンレス材料や鋼材料なども使うことができる。また、ツルハシ頭部の形状についても刃部と小鋭部とを両方に有する形状には限定されない。片側のみの構造のものであってもよい。また、本実施例ではツルハシ頭部と柄部とは別の構成としてはめ込む構造としたが、本考案はこれに限定されるものではない。ツルハシ頭部と柄部とを同じ材料で一体的に形成することもできる。また、はめ込み方式でなく、ネジ止め等で行ってもよい。
【産業上の利用可能性】
【００１１】
本考案は、地面に食い込み抜け難くなったツルハシを手や足の力を用いて抜きやすくしたもので、土木作業、鉄道の保守作業、農作業等の分野に有用である。
【符号の説明】
【００１２】
１、２０  引き抜き補助具付きツルハシ
２  ツルハシ頭部
３  刃部
４  小鋭部
５  装着部
６  突起部
７  回転軸突起部
８  柄部
９  引き抜き補助具
１０、２２  ペダル部
１１、２３  孔部
１２、２４  引き抜きアーム部
１３、２５  はめ込み領域
【図１】
0003200472.tif 000003
【図２】
0003200472.tif 000004
【図３】
0003200472.tif 000005
【図４】
0003200472.tif 000006
【図５】
0003200472.tif 000007
【図６】
0003200472.tif 000008
【図７】
0003200472.tif 000009